(57)【要約】【課題】金属製の芯材に被覆材を被せた手摺部材を用いて、階段における壁面のコーナー部等に簡単に連続手摺を設置できるようにする。【解決手段】金属製の芯材３１に被覆材３２を被せた手摺部材３０に接続する手摺用エルボ部材において、手摺の曲がった部分を構成する本体１と、これに内装される回転体２とを備え、前記本体１は、軸線が曲がった屈曲部３に、端面で開口して手摺部材３０が嵌め入れられる嵌入部４を連設したものとし、前記回転体２は、本体１の嵌入部４の奥側に内挿されるフランジ部５の中心部から係入軸部６が嵌入部４の外側へ向かって軸方向に延びる形状とし、前記本体１と回転体２とを嵌入部４の軸線を中心に相対回転可能で軸方向に移動しないようにフランジ部５で結合し、手摺部材３０の嵌入部４への嵌め入れに伴い、係入軸部６が手摺部材３０の芯材３１に挿入されて、周方向に係止されるようにする。【選択図】図１
2015140526.tif 000002
【特許請求の範囲】
【請求項１】
金属製の芯材(31)に被覆材(32)を被せた手摺部材(30)に接続する手摺用エルボ部材において、手摺の曲がった部分を構成する本体(1)と、これに内装される回転体(2)とを備え、前記本体(1)は、軸線が曲がった屈曲部(3)に、端面で開口して手摺部材(30)が嵌め入れられる嵌入部(4)を連設したものとし、前記回転体(2)は、本体(1)の嵌入部(4)の奥側に内挿されるフランジ部(5)の中心部から係入軸部(6)が嵌入部(4)の外側へ向かって軸方向に延びる形状とし、前記本体(1)と回転体(2)とを嵌入部(4)の軸線を中心に相対回転可能で軸方向に移動しないようにフランジ部(5)で結合し、手摺部材(30)の嵌入部(4)への嵌め入れに伴い、係入軸部(6)が手摺部材(30)の芯材(31)に挿入されて、周方向に係止されるようにしたことを特徴とする手摺用エルボ部材。
【請求項２】
請求項１に記載の手摺用エルボ部材において、前記回転体(2)のフランジ部(5)には、嵌入部(4)の軸線を中心とする弧状長穴(9)を形成し、嵌入部(4)の開口側から弧状長穴(9)を介して案内ピン(21)を本体(1)にねじ込み、案内ピン(21)が緩んだ状態では、弧状長穴(9)の中心角の範囲で本体(1)と回転体(2)との相対回転が許容され、案内ピン(21)を締め付けると、本体(1)と回転体(2)とが所定の角度で固定されるようにしたことを特徴とする手摺用エルボ部材。
【請求項３】
請求項１に記載の手摺用エルボ部材において、前記回転体(2)のフランジ部(5)を軸方向及び径方向に保持する保持リング(15)を備え、回転体(2)のフランジ部(5)を、嵌入部(4)の奥側へ向く保持リング(15)の内周側の環状凹所(16)に嵌合させ、本体(1)と回転体(2)とを相対回転可能としたことを特徴とする手摺用エルボ部材。
【請求項４】
請求項３に記載の手摺用エルボ部材において、前記保持リング(15)の環状凹所(16)より外周側に位置する貫通穴(17)を介して嵌入部(4)の開口側から案内ピン(21)を本体(1)にねじ込み、案内ピン(21)が緩んだ状態では、本体(1)と回転体(2)との全周に及ぶ相対回転が許容され、案内ピン(21)を締め付けると、本体(1)と回転体(2)とが所定の角度で固定されるようにしたことを特徴とする手摺用エルボ部材。
【発明の詳細な説明】
【技術分野】
【０００１】
この発明は、金属製の芯材に被覆材を被せた手摺部材に接続するエルボ部材に関する。
【背景技術】
【０００２】
近年、各種施設において、バリアフリー化推進のため、連続手摺の設置が要望される場合が多くなっており、このような連続手摺の基本的な手摺部材として、強度に優れた金属製の芯材の外周に手触り感のよい被覆材を被せたものが使用されることがある。
【０００３】
ところが、階段における壁面のコーナー部等、屈曲させつつ勾配を変化させる必要がある部分においては、従来のエルボ部材では、屈曲部の両側で勾配を変化させることができず、対応することができない。
【０００４】
このため、手摺を途切れさせることなく連続手摺とする強い要望がある場合には、コーナー部に用いる手摺部材の芯材の一側に多数のスリットを刻設し、手摺部材を撓めるように曲げて対応しているのが現状である（下記特許文献１参照）。
【先行技術文献】
【特許文献】
【０００５】
【特許文献１】特開２００２−２１２８１号公報
【発明の概要】
【発明が解決しようとする課題】
【０００６】
しかしながら、上記のように芯材に多数のスリットを刻設した手摺部材は、製作に多大な手間を要するほか、施工現場で撓めるように曲げる際、大きな力を要し、また、スリットの幅等の制約により、所望の角度に曲げられない場合もある。
【０００７】
そこで、この発明は、金属製の芯材に被覆材を被せた手摺部材を用いて、階段における壁面のコーナー部等に簡単に連続手摺を設置できるようにすることを課題とする。
【課題を解決するための手段】
【０００８】
上記課題を解決するため、この発明は、金属製の芯材に被覆材を被せた手摺部材に接続する手摺用エルボ部材において、手摺の曲がった部分を構成する本体と、これに内装される回転体とを備え、前記本体は、軸線が曲がった屈曲部に、端面で開口して手摺部材が嵌め入れられる嵌入部を連設したものとし、前記回転体は、本体の嵌入部の奥側に内挿されるフランジ部の中心部から係入軸部が嵌入部の外側へ向かって軸方向に延びる形状とし、前記本体と回転体とを嵌入部の軸線を中心に相対回転可能で軸方向に移動しないようにフランジ部で結合し、手摺部材の嵌入部への嵌め入れに伴い、係入軸部が手摺部材の芯材に挿入されて、周方向に係止されるようにしたのである。
【０００９】
また、前記回転体のフランジ部には、嵌入部の軸線を中心とする弧状長穴を形成し、嵌入部の開口側から弧状長穴を介して案内ピンを本体にねじ込み、案内ピンが緩んだ状態では、弧状長穴の中心角の範囲で本体と回転体との相対回転が許容され、案内ピンを締め付けると、本体と回転体とが所定の角度で固定されるようにしたのである。
【００１０】
また、これに代えて、前記回転体のフランジ部を軸方向及び径方向に保持する保持リングを備え、回転体のフランジ部を、嵌入部の奥側へ向く保持リングの内周側の環状凹所に嵌合させ、本体と回転体とを相対回転可能としたのである。
【００１１】
さらに、前記保持リングの環状凹所より外周側に位置する貫通穴を介して嵌入部の開口側から案内ピンを本体にねじ込み、案内ピンが緩んだ状態では、本体と回転体との全周に及ぶ相対回転が許容され、案内ピンを締め付けると、本体と回転体とが所定の角度で固定されるようにしたのである。
【発明の効果】
【００１２】
この発明に係るエルボ部材を使用して連続手摺を施工する際、手摺部材を本体の一方の嵌入部に嵌め入れて、回転体の係入軸部に係止すると、一方の嵌入部の軸線を中心に本体を回転させることができるので、他方の嵌入部にも手摺部材を嵌め入れて、階段における壁面のコーナー部等に簡単に連続手摺を設置することができる。
【図面の簡単な説明】
【００１３】
【図１】この発明の第１実施形態に係る手摺用エルボ部材の分解斜視図
【図２】同上の組立状態を示す斜視図（手摺部材を仮想線で図示）
【図３】同上の縦断面構造図（手摺部材を実線で図示）
【図４】（ａ），（ｂ）同上の一方の端面から見て本体と回転体とが９０°相対回転した状態を示す図（手摺部材を仮想線で図示）
【図５】この発明の第２実施形態に係る手摺用エルボ部材の分解斜視図
【図６】同上の組立状態を示す斜視図（手摺部材を仮想線で図示）
【図７】同上の縦断面構造図（手摺部材を実線で図示）
【図８】（ａ），（ｂ）同上の一方の端面から見て本体と回転体とが９０°相対回転した状態を示す図（手摺部材を仮想線で図示）
【図９】同上のエルボ部材を使用した階段の連続手摺を示す斜視図
【発明を実施するための形態】
【００１４】
まず、この発明の第１実施形態を図１〜図４に基づいて説明する。
【００１５】
このエルボ部材は、図１及び図２に示すように、円形断面の手摺部材３０に接続されるものであり、手摺の曲がった部分を構成する本体１と、これに内装される回転体２とを備えている。これらは、あまり荷重が作用するものでないことから、通常プラスチック製とされるが、手摺部材３０の質感等に応じて金属製としてもよい。
【００１６】
本体１は、軸線が９０°湾曲した屈曲部３の両側に、端面で開口して手摺部材３０が嵌め入れられる短い円管状の嵌入部４が連設された構成とされている。回転体２は、本体１の嵌入部４の奥側に内挿される円板状のフランジ部５と、その中心部から嵌入部４の外側へ向かって軸方向に延びる四角柱状の係入軸部６とを一体化した形状とされている。
【００１７】
本体１において、嵌入部４の奥底部には、屈曲部３の内側付近となる部分を除き、中心部から径方向に離れて、ねじ穴７が周方向に４５°間隔で７個設けられ、中心部に軸穴８が設けられている。
【００１８】
また、回転体２において、フランジ部５には、本体１の嵌入部４の軸線を中心として湾曲した弧状長穴９が形成され、弧状長穴９は、中心角が９０°とされて、対称位置に２個配置されている。嵌入部４の奥底側へ向くフランジ部５の中心部には、軸方向に延びる丸棒状の回転軸部１０が突設されている。
【００１９】
係入軸部６の一方の対向する側面には、軸方向に延びる係合溝１１が形成され、係入軸部６の先端部には、他方の対向する側面にわたって貫通する貫通穴１２が軸線に直交する方向へ延びるように形成されている。
【００２０】
このエルボ部材の組み立てに際しては、図２及び図３に示すように、本体１の嵌入部４の奥側に回転体２のフランジ部５を内挿して、回転軸部１０を軸穴８に挿し込み、小ねじである案内ピン２１を、嵌入部４の開口側から弧状長穴９を介して対称位置にあるいずれか２個のねじ穴７にねじ込んで、本体１と回転体２とをフランジ部５で結合する。この状態では、係入軸部６の先端部が嵌入部４から突出し、貫通穴１２が露出している。
【００２１】
このように組み立てると、本体１と回転体２とは、嵌入部４の軸線を中心に相対回転可能となり、軸方向には移動せず、案内ピン２１が緩んだ状態では、図４（ａ）及び（ｂ）に示すように、弧状長穴９の中心角の範囲で本体１と回転体２との相対回転が許容され、案内ピン２１を締め付けると、本体１と回転体２とが所定の角度で固定される。
【００２２】
なお、初期状態では、一方の弧状長穴９を介して、その一端側に案内ピン２１を位置させ、他端側に対応するねじ穴７に固定ピン２３をねじ込んでおき、施工時に固定ピン２３を抜き取ると、本体１に対し回転体２が一方向へのみ回転可能となり、本体１の両側の嵌入部４において、回転体２の回転可能な方向が逆になるようにしておく。
【００２３】
これにより、階段部分の連続手摺の施工に際し、下階側と上階側のエルボ部材を、基準となる手摺部材に対し回転体２の回転方向が逆向きとなるように配置すると、容易に施工することができる。なお、勾配の変化がない部分に設置する場合には、両側の嵌入部４の固定ピン２３をそのままにしておくと、通常のエルボ部材と同様に使用できる。
【００２４】
一方、このエルボ部材が接続される手摺部材３０は、図１に示すように、アルミニウム等の金属から成るコ字状断面の芯材３１の外周に、手触り感のよい合成樹脂製や木製の被覆材３２を被せたものとされている。
【００２５】
芯材３１の対をなす側壁の内面には、軸方向に延びる係合突条３３が形成され、他の一方の側壁には、開放溝が形成されている。また、これに対応して、被覆材３２にも開放溝が形成され、これらの開放溝には、施工時にゴム等から成る溝埋材３４が嵌められて、手摺部材３０の外周面が切れ目のない円筒面とされる。
【００２６】
このような手摺部材３０による手摺の施工に際し、上記のようなエルボ部材を使用する場合には、図２及び図３に示すように、接続される手摺部材３０のうち、一方の手摺部材３０を本体１の一方の嵌入部４に嵌め入れ、これに伴い、係入軸部６の係合溝１１に芯材３１の係合突条３３を係合させて、係入軸部６を芯材３１に挿入する。
【００２７】
次に、手摺部材３０の溝埋材３４を芯材３１の開放溝に嵌める前の状態で、芯材３１の開放溝から貫通穴１２を介して、タッピンねじ２２を芯材３１の開放溝と対向する閉塞側の側壁にねじ込むと、一方の手摺部材３０と回転体２とが固定される。
【００２８】
この際、一方の嵌入部４において、上述のように、固定ピン２３を抜き取り、案内ピン２１を緩めると、手摺部材３０に対して、嵌入部４の軸線を中心に本体１を９０°の範囲で回転させることができるので、他方の嵌入部４にも手摺部材３０を嵌め入れて、所望の方向に向けることができる。
【００２９】
例えば、図９に示すような階段部分の連続手摺の施工に際しては、一方の手摺部材３０をブラケット３５で壁面のコーナー部を挟んだ一側に固定した状態で、この手摺部材３０にエルボ部材の一方の嵌入部４を接続する。このとき、他方の嵌入部４が所定の方向へ向くように本体１を回転させ、案内ピン２１及び固定ピン２３を締め付けてその角度に本体１を固定する。
【００３０】
その後、他方の手摺部材３０をエルボ部材の他方の嵌入部４に嵌め入れ、この手摺部材３０をブラケット３５で壁面のコーナー部を挟んだ他側に固定し、それぞれの手摺部材３０の芯材３１及び被覆材３２の開放溝に、外周を円滑化して手当たり感をよくするため、溝埋材３４を嵌め込む。
【００３１】
そして、連続手摺の両端には、終端となるエルボ部材を取り付ける。このエルボ部材としては、一方の嵌入部４にのみ回転体２を内装したものを用いるとよい。この場合、他方の嵌入部４を壁面の方向だけでなく、下方へも向けることができる。なお、終端となるエルボ部材の他方の嵌入部４には、開口部を塞ぐキャップ１３を嵌めておくとよい。
【００３２】
次に、この発明の第２実施形態を図５〜図８に基づいて説明する。なお、ここでは、主として上記第１実施形態との相違点について述べ、第１実施形態と共通の機能を有する部分には、同一の符号を付して、その説明を省略する。
【００３３】
このエルボ部材は、本体１及び回転体２に加えて、嵌入部４に嵌め入れられる保持リング１５を備えている。保持リング１５には、嵌入部４の奥側へ向く内周側に環状凹所１６が形成されると共に、環状凹所１６より外周側に２個の貫通穴１７が対向位置に形成されている。貫通穴１７は、ねじ穴とされているが、ねじの形成は省略してもよい。
【００３４】
回転体２のフランジ部５は、嵌入部４の内径よりも小径とされて、保持リング１５の環状凹所１６に回動自在に嵌め合わされ、係入軸部６は、保持リング１５の中央部の穴に挿通されている。保持リング１５は、案内ピン２１を貫通穴１７を介して嵌入部４の奥底部のねじ穴１４にねじ込むことにより、本体１に固定されている。
【００３５】
このようなエルボ部材において、環状凹所１６の深さよりも保持リング１５の厚さを僅かに大きく設定しておくと、案内ピン２１を緩めた状態で、本体１と回転体２とを、嵌入部４の軸線を中心として３６０°自由に相対回転させて、所定の角度に調整することができ、案内ピン２１を締め付けると、本体１と回転体２とを所定の角度で固定することができるものとなる。
【００３６】
一方、環状凹所１６の深さよりも保持リング１５の厚さを小さく設定した場合には、案内ピン２１の締め付けの程度にかかわらず、本体１と回転体２とを、嵌入部４の軸線を中心として３６０°自由に相対回転させることができる。
【符号の説明】
【００３７】
１  本体
２  回転体
３  屈曲部
４  嵌入部
５  フランジ部
６  係入軸部
７  ねじ穴
８  軸穴
９  弧状長穴
１０  回転軸部
１１  係合溝
１２  貫通穴
１３  キャップ
１４  ねじ穴
１５  保持リング
１６  環状凹所
１７  貫通穴
２１  案内ピン
２２  タッピンねじ
２３  固定ピン
３０  手摺部材
３１  芯材
３２  被覆材
３３  係合突条
３４  溝埋材
３５  ブラケット
【図１】
2015140526.tif 000003
【図２】
2015140526.tif 000004
【図３】
2015140526.tif 000005
【図４】
2015140526.tif 000006
【図５】
2015140526.tif 000007
【図６】
2015140526.tif 000008
【図７】
2015140526.tif 000009
【図８】
2015140526.tif 000010
【図９】
2015140526.tif 000011